(57)【要約】【課題】大型化することなく機本体内の洗浄室を広くし、同時に多数の食器を効率良く洗浄できる食器洗い機を提供する。【解決手段】ポンプＰは、ポンプハウジング２６内に鉛直方向に沿う軸線Ｓ周りで回転するインペラ３４を備えており、このインペラ３４の回転に基づき吸水部４４を介して水平方向からポンプハウジング２６内へ洗浄水を吸水する。そのため、ポンプハウジング２６内へインペラ３４が洗浄水と共に空気を巻き込むことを抑制できる。そして、ポンプＰ（モータＭ）のインペラ３４が正回転する場合には、当該ポンプＰ内の洗浄水は給水部４５を介して洗浄室側に給水される。その一方、インペラ３４が逆回転する場合には、前記洗浄水は排水部を介して機本体外に排水される。【選択図】      図３
2005237686.tif 000002
【特許請求の範囲】
【請求項１】
機本体内に、食器の洗浄室とポンプ室とをポンプ室が洗浄室の下側となるように区画形成し、前記ポンプ室内には、前記洗浄室からポンプ室側へ流下する洗浄水を貯留するための貯留槽を設けると共に、当該貯留槽の側方に、羽根部材が鉛直方向に沿う軸線周りで回転する構成とされたポンプを配置し、当該ポンプを、モータの回転駆動に基づき前記羽根部材が回転することにより、前記貯留槽に貯留されている洗浄水をポンプハウジング内へ前記軸線と直交する水平方向から吸水した後、ポンプハウジング内から前記洗浄室内又は機本体外に吐水するように構成した食器洗い機。
【請求項２】
前記ポンプハウジングには、前記貯留槽から洗浄水を吸水するための吸水部と、前記洗浄室内に洗浄水を供給するための給水部と、前記機本体外に洗浄水を排水するための排水部とが設けられており、前記羽根部材は、前記軸線周りを正逆両方向へ回転可能とされ、正逆両方向のうち何れか一方の方向に回転した場合には洗浄水を前記吸水部から給水部側にガイドする一方、他方の方向に回転した場合には洗浄水を前記吸水部から排水部側にガイドする請求項１に記載の食器洗い機。
【請求項３】
前記羽根部材は、前記モータの回転子に羽根部が一体形成された構成とされている請求項１又は請求項２に記載の食器洗い機。
【請求項４】
前記羽根部材は、前記羽根部が形成された側を下側とするようにして前記ポンプハウジング内に配置されている請求項３に記載の食器洗い機。
【発明の詳細な説明】
【技術分野】
【０００１】
本発明は、食器を自動洗浄する食器洗い機に関するものである。
【背景技術】
【０００２】
従来より、食器を自動洗浄する装置として例えば特許文献１に記載の食器洗い機（食器洗浄機）が提案されている。この特許文献１に記載の食器洗い機は、食器を洗浄するための洗浄室と複数のポンプ（洗浄用ポンプ及び排水用ポンプ）を収容するためのポンプ室とを機本体内に備えている。前記洗浄室はポンプ室の上方に設けられており、当該洗浄室内には複数の孔を上面に形成してなるノズル（アーム）が回転可能に支持されている。また、前記ポンプ室には、洗浄室からポンプ室側へ流下した洗浄水を貯留するための貯留槽が配設されており、洗浄水は、当該貯留槽から洗浄用ポンプ（又は排水用ポンプ）側に供給される。
【０００３】
即ち、前記洗浄室で食器を洗浄する際には、前記貯留槽に貯留された洗浄水が、前記洗浄用ポンプの駆動に基づき、前記ノズル（アーム）上面の各孔から洗浄室内に噴射されるようになっている。そして、前記各孔から噴射された洗浄水は、食器の洗浄に使用された後、洗浄室内から貯留槽に流下し、当該貯留槽から洗浄用ポンプの駆動に基づき再び洗浄室内に噴射供給される（即ち、食器の洗浄に繰り返し利用される）ようになっている。因みに、食器の洗浄中では、排水用ポンプの駆動は停止している。そして、食器の洗浄が終了すると、今度は洗浄用ポンプが停止し、排水用ポンプが駆動を開始する。すると、洗浄室からポンプ室（貯留槽）に流入した使用済みの洗浄水は、排水用ポンプの駆動に基づき、今度は前記機本体の外部に排水されるようになっている。
【特許文献１】特開２００３−１３５３６１号公報（段落番号［００１７］、図１）
【発明の開示】
【発明が解決しようとする課題】
【０００４】
ところが、この特許文献１に記載の食器洗い機の場合には以下のような問題がある。即ち、この場合の食器洗い機には、２つのポンプ（洗浄用ポンプ及び排水用ポンプ）がポンプ室内に配設されている。そのため、食器洗い機の機本体内において、前記ポンプ室のスペースが広くなってしまい、必然的に、前記洗浄室のスペースが狭くなるという問題があった。従って、洗浄室のスペースを広くするためには、食器洗い機全体を大型化しなければならなかった。そこで、前記貯留槽の直下に、羽根部材が鉛直方向の回転軸線を中心にして回転する１つのポンプを配置し、当該ポンプから羽根部材の回転に基づき吐出された洗浄水を切換えバルブにより洗浄室内に供給するか又は機本体外に排水するかを選択切換え可能とした食器洗い機も近時は提案されている。しかし、この場合、ポンプは、貯留槽から洗浄水を当該ポンプ（羽根部材）の回転軸線を渦中心とするように吸水することになり、洗浄水と共に空気を巻き込んで洗浄室内に供給してしまうことがあった。そのため、このような空気の巻き込みが起因して洗浄室内に噴射される洗浄水の噴射効率が低下し、この食器洗い機では本来の洗浄性能を発揮できないという問題があった。
【０００５】
本発明は、このような事情に鑑みてなされたものであり、その目的は、大型化することなく機本体内の洗浄室を広くし、同時に多数の食器を効率良く洗浄できる食器洗い機を提供することにある。
【課題を解決するための手段】
【０００６】
上記目的を達成するために、請求項１に記載の発明は、機本体内に、食器の洗浄室とポンプ室とをポンプ室が洗浄室の下側となるように区画形成し、前記ポンプ室内には、前記洗浄室からポンプ室側へ流下する洗浄水を貯留するための貯留槽を設けると共に、当該貯留槽の側方に、羽根部材が鉛直方向に沿う軸線周りで回転する構成とされたポンプを配置し、当該ポンプを、モータの回転駆動に基づき前記羽根部材が回転することにより、前記貯留槽に貯留されている洗浄水をポンプハウジング内へ前記軸線と直交する水平方向から吸水した後、ポンプハウジング内から前記洗浄室内又は機本体外に吐水するように構成したことを要旨としている。
【０００７】
請求項２に記載の発明は、請求項１に記載の食器洗い機において、前記ポンプハウジングには、前記貯留槽から洗浄水を吸水するための吸水部と、前記洗浄室内に洗浄水を供給するための給水部と、前記機本体外に洗浄水を排水するための排水部とが設けられており、前記羽根部材は、前記軸線周りを正逆両方向へ回転可能とされ、正逆両方向のうち何れか一方の方向に回転した場合には洗浄水を前記吸水部から給水部側にガイドする一方、他方の方向に回転した場合には洗浄水を前記吸水部から排水部側にガイドすることを要旨としている。
【０００８】
請求項３に記載の発明は、請求項１又は請求項２に記載の食器洗い機において、前記羽根部材は、前記モータの回転子に羽根部が一体形成された構成とされている構成であることを要旨としている。
【０００９】
請求項４に記載の発明は、請求項３に記載の食器洗い機において、前記羽根部材は、前記羽根部が形成された側を下側とするようにして前記ポンプハウジング内に配置されていることを要旨としている。
【発明の効果】
【００１０】
大型化することなく機本体内の洗浄室を広くし、同時に多数の食器を効率良く洗浄できる。
【発明を実施するための最良の形態】
【００１１】
以下、本発明を具体化した一実施形態を図１〜図４に従って説明する。
図１に示すように、本実施形態の食器洗い機１０は、機本体１１内に、食器Ｄを洗浄する洗浄室１２と当該洗浄室１２の下方に位置するポンプ室１３とを備えている。前記洗浄室１２とポンプ室１３とは、機本体１１内の内部スペース１４を仕切り板１５で上下に仕切ることにより区画形成されている。なお、以下における本明細書中の説明において、「上下左右方向」は図１における上下左右方向を示すものとする。
【００１２】
前記洗浄室１２には、食器Ｄを配置するための食器籠１６が収容され、当該食器籠１６は、水平方向（図１では左右方向）に延びるレール１７上にスライド移動可能に戴置されている。また、洗浄室１２の下部には、食器Ｄを洗浄する際に洗浄水を洗浄室１２内に噴射するためのノズル１８が回転可能な態様で配設されている。このノズル１８の上面には、複数の孔（図示略）が形成されており、当該ノズル１８の下面側からは、前記仕切り板１５を貫通形成してポンプ室１３内まで延びるように洗浄管路１９が設けられている。この洗浄管路１９は、ノズル１８の内部空間（図示略）を介して前記ノズル１８上面の各孔と繋がっている。そのため、洗浄室１２内の食器Ｄを洗浄する際には、洗浄管路１９を介してポンプ室１３側から供給（給水）された洗浄水が前記ノズル１８上面の各孔から洗浄室１２内に噴射されるようになっている。
【００１３】
また、前記洗浄室１２の左側には、機本体１１の側壁の一部を構成すると共に、機本体１１に対して開閉可能に形成された開閉扉２０が設けられている。そして、この開閉扉２０は、食器Ｄを洗浄室１２内の食器籠１６に配置する際や洗浄後に食器Ｄを洗浄室１２から外部へ取り出す際等に開放され、それら以外の時には閉じられるようになっている。また、洗浄室１２の右側には、所定容量の洗浄水を機本体１１の外部から洗浄室１２内に注入するための注入通路２１が形成されている。また、洗浄室１２の底部には、当該洗浄室１２から洗浄水をポンプ室１３に流下させて吸入するための吸入口２２が設けられており、当該吸入口２２には、食器Ｄに付着した残飯等が洗浄水と共にポンプ室１３に吸入されないようにするべく、当該残飯等を取り除くフィルタＦが配設されている。
【００１４】
一方、前記ポンプ室１３には、前記洗浄室１２から吸入口２２を介して流下する洗浄水を貯留するための貯留槽２３が設けられている。また、当該貯留槽２３の側方（図１における右側）にはポンプＰが収容配置されており、当該ポンプＰは吸水管路２４を介して前記貯留槽２３と連結されている。そのため、貯留槽２３内に一旦貯留された洗浄水は、吸水管路２４を介してポンプＰ内に水平方向から吸水されることになる。そして、洗浄室１２内の食器Ｄを洗浄する場合には、前記ポンプＰの駆動に基づきポンプＰ内から洗浄水が前記洗浄管路１９を介して前記ノズル１８に供給され、当該ノズル１８上面の各孔から洗浄室１２内に噴射される。一方、前記洗浄水を排水する場合には、前記ポンプＰの駆動に基づきポンプＰ内から洗浄水が排水管路２５に導出され、機本体１１外に排水される。
【００１５】
図２〜図４に示すように、前記ポンプＰは、上側が開口した略有底円筒形状のポンプハウジング２６を備えている。ポンプハウジング２６の上側には下側が開口した略有底円筒形状のカバー２７がＯリング２８等を介在させた状態で組み付けられ、当該カバー２７とポンプハウジング２６との間には収容空間２９が形成されている。そして、この収容空間２９内に、モータ（本実施形態ではブラシレスモータ）Ｍが収容されている。前記カバー２７の底面略中央には、略円形状となる貫通孔２７ａが形成されている。また、前記カバー２７の下端部外周側には、複数（本実施形態では６つ）の突片３０が等間隔に突設されており、当該各突片３０には、ネジ孔（図示略）が夫々形成されている。
【００１６】
前記モータＭは、シャフト３１、マグネットロータ３２、ステータ３３、及び回転子としてのインペラ（羽根部材）３４等を備えた構成とされている。前記シャフト３１は、略丸棒形状をなしており、その上端部が固定金具３５を介して前記貫通孔２７ａに差し込まれている。このシャフト３１は、カバー２７の底面に対して鉛直方向へ垂下された状態で固定されているため、モータＭが回転駆動力を発生した際にも回転不能とされる。
【００１７】
前記マグネットロータ３２は、略円盤形状をなし、当該ロータ３２の略中央位置には貫通孔３２ａが形成されている。そして、この貫通孔３２ａに嵌合されたベアリング３６を介して、マグネットロータ３２は、前記シャフト３１に対して当該シャフト３１の軸線Ｓを中心として回転可能に支持されている。また、このマグネットロータ３２の内部には、当該ロータ３２の周方向に沿って、複数（図３では２つのみ図示）の永久磁石（以下、「磁石」と示す）ＭｇＲが等間隔に配設されている。因みに、各磁石ＭｇＲは、周方向へ交互に磁極が異なるように配置されている。そして、本実施形態では、各磁石ＭｇＲの図３における上面にヨーク３７が接合されている。
【００１８】
前記ステータ３３は、略円盤形状をなす基板３８を備えており、当該基板３８の下面側には複数（図３では２つのみ図示）のコイル３９が配設されている。前記基板３８の略中央位置には、シャフト３１の外径とほぼ同径の貫通孔３８ａが形成されており、当該貫通孔３８ａにシャフト３１が差し込まれることで、基板３８（ステータ３３）は、前記収容空間２９内においてマグネットロータ３２の下方位置に固定支持されるようになっている。
【００１９】
また、前記基板３８の周縁部分には、貫通孔（図示略）が形成された複数（本実施形態では６つ）の突片３８ｂが等間隔に突設されている。そして、基板３８（ステータ３３）の貫通孔３８ａにシャフト３１を差し込んだ際には、前記各突片３８ｂの貫通孔と前記カバー２７の各突片３０のネジ孔とが位置対応するようになっている。従って、基板３８（ステータ３３）は、互いに位置対応した貫通孔及びネジ孔に止めネジ４０が螺合されることにより、前記カバー２７に対して回転不能に固定される。
【００２０】
また、前記各コイル３９は、円形状に巻かれた巻線からなり、基板３８における略中央位置に形成された前記貫通孔３８ａを取り囲む配置態様となるように、当該基板３８の周方向に沿って配置される。つまり、ステータ３３は、基板３８がカバー２７に固定された際に、前記各コイル３９が前記マグネットロータ３２の各磁石ＭｇＲと夫々位置対応するようになっている。
【００２１】
前記インペラ３４は、略円盤形状をなし、その直径（外径）が前記マグネットロータ３２の直径とほぼ同等となるように形成されると共に、当該インペラ３４の略中央位置には貫通孔３４ａが形成されている。また、このインペラ３４には、その周縁近傍の内部に複数（図３では２つのみ図示）の磁石ＭｇＩが等間隔に配設されている。因みに、各磁石ＭｇＩは、周方向へ交互に磁極が異なるように配置されている。
【００２２】
また、インペラ３４の下面側には、輪形状をなす輪部４１ａと当該輪部４１ａから外周方向に伸びる複数（本実施形態では２４枚）の平板部４１ｂからなる羽根部４１が一体形成されている。そして、前記インペラ３４の貫通孔３４ａにはベアリング４２が嵌合され、当該ベアリング４２を介してインペラ３４は前記シャフト３１に支持されている。つまり、インペラ３４は、前記シャフト３１の軸線Ｓを中心に回転可能とされている。そして、本実施形態では、前記各磁石ＭｇＩの図３における下面にヨーク４３が夫々接合されている。
【００２３】
以上のような構成からなるモータＭでは、当該モータＭ（各コイル３９）に電流が供給されると、前記インペラ３４（及びマグネットロータ３２）が当該インペラ３４の回転軸線（シャフト３１の軸線Ｓ）を中心に回転することになる。そして、その場合において、各コイル３９に供給される電流の向きが制御装置（図示略）により切換えられると、インペラ３４（及びマグネットロータ３２）は、回転方向が切換えられるようになっている。即ち、インペラ３４（及びマグネットロータ３２）は、制御装置の切換え制御に基づき、鉛直方向に沿う軸線たるシャフト３１の軸線Ｓ周りを正逆両方向へ回転可能とされている。
【００２４】
一方、前記ポンプハウジング２６は、その周壁部２６ａに、前記吸水管路２４に対する連結部位となって貯留槽２３からポンプハウジング２６内へ洗浄水を吸水するための吸水部４４が突出形成されている。また、前記ポンプハウジング２６の周壁部２６ａにおいて、吸水部４４から見て周方向へ所定角度離間した位置（図２では時計方向へ略１８０度離間した位置）には、前記洗浄管路１９に対する連結部位となってポンプハウジング２６内から洗浄室１２内に洗浄水を給水するための給水部４５が突出形成されている。そして、前記ポンプハウジング２６の周壁部２６ａにおいて、吸水部４４から見て給水部４５よりも更に周方向へ所定角度離間した位置（図２では時計方向へ略９０度離間した位置）には、前記排水管路２５に対する連結部位となってポンプハウジング２６内から機本体１１外に洗浄水を排水するための排水部４６が突出形成されている。
【００２５】
そのため、例えば、前記吸水部４４からポンプハウジング２６内に吸水された洗浄水は、前記インペラ３４が一方向（図２に示すＡ矢印方向）に回転すると、羽根部４１により前記給水部４５側に導水ガイドされることになる。その一方で、前記インペラ３４が他方向（図２に示すＢ矢印方向）に回転すると、羽根部４１により前記排水部４６側に導水ガイドされるようになっている。即ち、吸水部４４からポンプハウジング２６内に吸水された洗浄水は、インペラ３４の回転に基づき周壁部２６ａの内周面に沿って給水部４５側又は排水部４６側へと導水ガイドされる。その意味で、ポンプハウジング２６の周壁部２６ａは洗浄水の導水ガイド部として機能する。
【００２６】
因みに、本実施形態では、前記吸水部４４側から洗浄水を給水部４５（洗浄管路１９）側に導水ガイドする場合のインペラ３４の回転方向（図２のＡ矢印方向）を正方向と示す一方で、排水部４６（排水管路２５）側に導水ガイドする場合のインペラ３４の回転方向（図２のＢ矢印方向）を逆方向と示す。また、前記インペラ３４は、羽根部４１が形成された側が下方となるように配置されているため、インペラ３４の回転駆動時にポンプＰ（ポンプハウジング２６）内における洗浄水の残留量が少なくても、当該インペラ３４（ポンプＰ）の回転駆動に基づき、洗浄水は確実にノズル１８に供給されるようになっている。
【００２７】
また、前記ポンプハウジング２６の周壁部２６ａのうち前記給水部４５と排水部４６との間となる部分は、その内面が前記インペラ３４の外周縁に近接するように、他の周壁部分よりも壁厚が厚く形成された導水規制部４７とされている。そのため、インペラ３４が正方向へ回転した場合、前記ポンプハウジング２６内を吸水部４４側から給水部４５側へと導水された洗浄水は、排水部４６側へと更に導水されるのを導水規制部４７が阻止するため、確実に給水部４５側に吐水される。一方、インペラ３４が逆方向へ回転した場合、前記ポンプハウジング２６内を吸水部４４側から排水部４６側へと導水された洗浄水は、給水部４５側へと更に導水されるのを導水規制部４７が阻止するため、確実に排水部４６側に吐水される。
【００２８】
また、前記ポンプハウジング２６の底面略中央には平面視略円形状をなす隆起部４８が前記インペラ３４における羽根部４１の輪部４１ａの内側に位置するように形成されている。即ち、この隆起部４８は、前記羽根部４１の輪部４１ａとの間の隙間を狭幅とすることで、インペラ３４が回転した際における回転中心付近への洗浄水の流入を抑制するようになっている。その意味で、前記隆起部４８は、ポンプハウジング２６の周壁部（導水ガイド部）２６ａによる洗浄水の吸水部４４側から給水部４５側（又は排水部４６側）への導水ガイド機能を間接的に補助する導水ガイド補助部として機能するようになっている。
【００２９】
次に、以上のように構成された本実施形態の食器洗い機１０の作用について以下説明する。なお、洗浄室１２には、複数の食器Ｄが食器籠１６に配置されたものとし、所定時間（例えば２０分）の洗浄行程が終了すると洗浄水が排水される（即ち、排水行程が開始する）ように設定されたものとする。
【００３０】
まず、図示しない操作部が操作されると洗浄行程が開始され、所定容量の洗浄水が注入通路２１を介して機本体１１（洗浄室１２）内に流下する。そして、この洗浄水は、吸入口２２を介して貯留槽２３内に流下し、当該貯留槽２３内に貯留される。すると次に、ポンプＰ内のモータＭが回転駆動され、モータＭの回転子であるインペラ３４が正回転すると、貯留槽２３内の洗浄水は、貯留槽２３から吸水管路２４を流動して吸水部４４を介してポンプＰのポンプハウジング２６内に吸水される。そして、吸水部４４からポンプハウジング２６内に吸水された洗浄水は、インペラ３４の正回転に基づきポンプハウジング２６の周壁部２６ａの内周面に沿って吸水部４４側から給水部４５側に導水ガイドされる（図２参照）。なお、この際において、ポンプハウジング２６の周壁部２６ａの内面側には導水規制部４７が形成されている。そのため、ポンプハウジング２６内を吸水部４４側から給水部４５側へ導水ガイドされた洗浄水は、当該導水規制部４７を越えて排水部４６側に導水ガイドされることはない（即ち、機本体１１外に排水されない）。
【００３１】
ポンプハウジング２６内を給水部４５まで導水ガイドされた洗浄水は、給水部４５から洗浄管路１９を流動してノズル１８まで供給される。すると、洗浄水は、このノズル１８における上面の各孔から洗浄室１２内に噴射される、即ち、洗浄室１２内に配置された食器Ｄが洗浄される。そして次に、この洗浄水は、吸入口２２から再び貯留槽２３内に流下し貯留される。この際に、吸入口２２には、フィルタＦが配設されているため、食器Ｄに付着した残飯等が貯留槽２３内に前記洗浄水と共に流入（流下）することはない。そして、貯留槽２３内に再び貯留された洗浄水は、ポンプＰ（モータＭ）の駆動に基づきポンプハウジング２６内を通過してノズル１８の各孔から洗浄室１２内に再び噴射される、即ち、食器Ｄの洗浄に繰り返し利用される。
【００３２】
その後、予め設定された所定時間が経過すると、モータＭのインペラ３４の回転（正回転）が停止し（即ち、洗浄室１２内への洗浄水の供給（噴射）が停止され）、洗浄行程が終了する。そして次に、排水行程が開始されると、モータＭのインペラ３４は逆回転し、貯留槽２３からポンプＰ（ポンプハウジング２６）内に吸水された洗浄水（所謂使用済みの洗浄水）は、排水部４６側に導水ガイドされる（図２参照）。そして、この際においても、ポンプハウジング２６内を吸水部４４側から排水部４６側へと導水ガイドされた洗浄水は、導水規制部４７を越えて給水部４５側に導水ガイドされることはない（即ち、洗浄室１２（ノズル１８）に供給されない）。そして、排水部４６に導水ガイドされた洗浄水は、排水部４６から排水管路２５を流動して機本体１１外に排水される。その後、予め設定された所定時間（例えば１分）が経過すると、インペラ３４の回転（逆回転）が停止し、洗浄水の排水行程が終了する。
【００３３】
従って、本実施形態では、以下に示す効果を得ることができる。
（１）洗浄室１２への洗浄水の供給（給水）及び機本体１１外への洗浄水の排水を一つのポンプＰで行うことができるため、複数のポンプを配置する場合（例えば特許文献１に記載の食器洗い機の場合）と比較して機本体１１内におけるポンプ室１３のスペースを狭くすることができる。また、前記ポンプＰは、洗浄水を貯留する貯留槽２３の側方（図１では右側）に配置されているため、当該ポンプＰを貯留槽２３の下側に配置した場合と比較してもポンプ室１３の鉛直方向に対するスペースを狭くできる。即ち、機本体１１を大型化することなく洗浄室１２のスペースを広くできる。
【００３４】
また、ポンプＰは、貯留槽２３から吸水管路２４を介して洗浄水をモータＭのシャフト３１の軸線Ｓが延びる鉛直方向（即ち、羽根部材であるインペラ３４の回転軸線が延びる方向）と直交する水平方向から吸水することになる。そのため、インペラ（羽根部材）３４が洗浄水と共に空気を巻き込むことを抑制でき、本来の食器洗い機１０の洗浄効率を良好に発揮できる。
【００３５】
（２）モータＭの回転子であるインペラ（羽根部材）３４は、正逆両方向への回転可能な態様となっており、その回転方向が切換え制御されるようになっている。そのため、吸水部４４を介してポンプハウジング２６内に吸水された洗浄水は、インペラ３４が正方向へ回転した場合には、給水部４５から洗浄管路１９を介して洗浄室１２側に供給される。その一方で、インペラ３４が逆方向へ回転した場合には、排水部４６から排水管路２５を介して機本体１１外に排水される。つまり、切換えバルブ等をポンプ室１３内に配設しなくてもモータＭ（インペラ３４）の回転方向を切換えるだけで洗浄行程及び排水行程を夫々確実に実行できる。従って、切換バルブ等を配設することによる部品点数の増加に伴う構成の複雑化を良好に回避できる。
【００３６】
（３）また、モータＭの回転子であるインペラ３４に羽根部４１を一体形成することで羽根部材が構成されているため、モータＭの回転駆動力を確実に羽根部材であるインペラ３４に伝達できる。また、羽根部材を別途設けることによるポンプＰの構成の複雑化を回避できる。
【００３７】
（４）インペラ（羽根部材）３４は、羽根部４１が形成された側が下方となる状態でポンプハウジング２６内に配置されるため、貯留槽２３から吸水管路２４を介してポンプハウジング２６内に吸水された洗浄水の吸水量が少なくても、洗浄室１２側に洗浄水を確実に供給できる。つまり、この食器洗い機１０は、使用する洗浄水の量を従来の食器洗い機（例えば特許文献１に記載の食器洗い機）の場合と比較して減らしても従来の食器洗い機と同等の性能を発揮できる。
【００３８】
（５）洗浄時には、インペラ（羽根部材）３４の正方向への回転に基づき吸水部４４から給水部４５側へと導水ガイドされた洗浄水が更に排水部４６側へ導水ガイドされることを導水規制部４７が確実に規制する。そのため、洗浄行程の実行中にポンプＰ内の洗浄水が排水部４６側から吐水されることはない、即ち、確実に前記洗浄水を洗浄室１２側に供給できる。また、排水時には、インペラ（羽根部材）３４の逆方向への回転に基づき吸水部４４から排水部４６側へと導水ガイドされた洗浄水が更に給水部４５側へ導水ガイドされることを導水規制部４７が確実に規制する。そのため、排水行程の実行中にポンプＰ内の洗浄水が給水部４５側から吐水されることはない、即ち、確実に洗浄水を機本体１１外に排水できる。
【００３９】
（６）ポンプハウジング２６の底面略中央位置には、隆起部（導水ガイド補助部）４８が形成されているため、当該隆起部４８とインペラ（羽根部材）３４の羽根部４１（輪部４１ａ）との間の狭い隙間からインペラ３４の中心付近に洗浄水が流入するのを抑制できる。従って、吸水部４４からポンプハウジング２６内に吸水された洗浄水をインペラ３４（羽根部４１）の回転に基づき周壁部２６ａに沿って効率良く給水部４５側又は排水部４６側へと導水ガイドしてポンプＰ外に吐水できる。つまり、食器洗い機１０の洗浄効率及び排水効率を向上させることができる。
【００４０】
なお、本実施形態は以下のような別の実施形態（別例）に変更してもよい。
・前記実施形態において、隆起部（導水ガイド補助部）４８は、インペラ３４における回転中心付近への洗浄水の流入を抑制できる構成であれば、例えば略円筒形状をなすブロック等の任意の形状をなすものであってもよい。また、この隆起部（導水ガイド補助部）４８は、必ずしもポンプハウジング２６の底面に設けなくてもよい。
【００４１】
・前記実施形態において、導水規制部４７は、給水部４５と排水部４６との間での洗浄水の流動抑制を図れるものならば、前記実施形態に示すような周壁部２６ａの壁厚を厚くする他に、周壁部２６ａの内面にブロック体を取着する構成であってもよい。また、この導水規制部４７は、必ずしもポンプハウジング２６の周壁部２６ａの内周面側に設けなくてもよい。
【００４２】
・前記実施形態において、ポンプＰは、羽根部材であるインペラ３４の回転軸線が鉛直方向に延びた状態であれば、インペラ３４を羽根部４１が形成された側を上側に向けた状態で配設された構成であってもよい。
【００４３】
・前記実施形態において、インペラ３４の羽根部４１は、ポンプハウジング２６内の洗浄水をインペラ３４の回転に基づき吸水部４４側から給水部４５側や排水部４６側に導水ガイドできれば、輪部４１ａを省略した各平板部４１ｂのみからなる構成であってもよい。また、羽根部４１の各平板部４１ｂは、任意枚数（例えば１０枚等）の平板部４１ｂから形成されるようにしてもよい。
【００４４】
・前記実施形態において、羽根部（羽根部４１）は、回転子であるインペラ３４と一体形成でなくてもよい。つまり、羽根部が形成された羽根部材を別途設けて、当該羽根部材には、モータＭの回転子の回転駆動力を例えばギヤ等を介して伝達するようにしてもよい。
【００４５】
・前記実施形態において、インペラ（羽根部材）３４が正方向へ回転した場合、ポンプＰ内の洗浄水を排水部４６側に吐水し、インペラ３４が逆方向へ回転した場合、前記洗浄水を給水部４５側に吐水するようにしてもよい。
【００４６】
・前記実施形態において、正方向回転用の羽根部材と逆方向回転用の羽根部材とを別々に設けてもよい。そして、モータの回転子（インペラ３４）が正方向へ回転する際には、正方向回転用の羽根部材のみが回転（正回転）する一方で、前記回転子が逆方向へ回転する際には、逆方向回転用の羽根部材のみが回転（逆回転）するようにしてもよい。この際、正回転用の羽根部材が回転すると、洗浄室１２側にポンプＰ内の洗浄水が供給される一方で、逆回転用の羽根部材が回転すると、機本体１１外に前記洗浄水が排水されるようになる。
【００４７】
・前記実施形態において、インペラ３４を一方向のみ回転可能な態様として、例えば切換えバルブ等の切換えに基づき、ポンプＰ内の洗浄水を洗浄室１２側に供給するか又は機本体１１外に排水するかを選択切換えするようにしてもよい。
【００４８】
・前記実施形態において、モータＭは、羽根部材に回転駆動力を伝達できるモータであれば、例えばＡＣモータ等の任意のモータに変更してもよい。
次に、上記実施形態及び別例から把握できる技術的思想について以下に追記する。
【００４９】
（イ）前記ポンプハウジングには、洗浄水が吸水部側から給水部側又は排水部側へと導水ガイドされた場合において、当該洗浄水が給水部と排水部との間で流動することを規制するための導水規制部が形成されている請求項２〜請求項４のうち何れか一項に記載の食器洗い機。
【００５０】
（ロ）前記ポンプハウジングには、前記羽根部材の回転中心付近への洗浄水の流入を抑制することにより、ポンプハウジング内から洗浄室内又は機本体外へと導かれる洗浄水の導水ガイド機能を補助するための導水ガイド補助部が形成されている請求項１〜請求項４、前記技術的思想イのうち何れか一項に記載の食器洗い機。
【図面の簡単な説明】
【００５１】
【図１】本実施形態における食器洗い機の概略縦断面図。
【図２】ポンプの一部破断底面図。
【図３】図２の３−３線矢視断面図。
【図４】図２のポンプを分解して示す分解断面図。
【符号の説明】
【００５２】
１０…食器洗い機、１１…機本体、１２…洗浄室、１３…ポンプ室、２３…貯留槽、２６…ポンプハウジング、３４…インペラ（羽根部材、回転子）、４１…羽根部、４４…吸水部、４５…給水部、４６…排水部、４７…導水規制部、４８…隆起部（導水ガイド補助部）、Ｄ…食器、Ｍ…モータ、Ｐ…ポンプ、Ｓ…軸線。
【図１】
2005237686.tif 000003
【図２】
2005237686.tif 000004
【図３】
2005237686.tif 000005
【図４】
2005237686.tif 000006